(57)【要約】【課題】            従来公知のキー付き錠の煩雑さやダイヤル式錠の操作性や安全性に関する各問題点をクリヤーした錠を提供する。【解決手段】        複数の押ボタンを予め定めた回数押すことにより開錠が可能となる押ボタン錠であって、一方向へ回転附勢され対応する複数の押ボタンを押すことにより、送り機構を介して同一ピッチで同一方向へ回転させられる外周にそれぞれ溝部を設けた複数のロック解除円盤と、一方向へ摺動附勢され前記各ロック解除円盤に設けた各溝部に嵌入可能な歯部を有し、表側サムターンの回転に伴って上下動するロック解除プレートと、前記表側サムターンの回転が許容された後に該表側サムターンの回転に伴って動作し前記ロック解除円盤を元位置に戻すオートリセット手段と、リセットボタンを手動で押すことにより前記ロック解除円盤を元位置に戻す手動リセット手段とを備える。【選択図】          図２
2005320783.tif 000002
【特許請求の範囲】
【請求項１】
複数の押ボタンを予め定めた回数押すことにより開錠が可能となる押ボタン錠であって、一方向へ回転附勢され対応する複数の押ボタンを押すことにより、送り機構を介して同一ピッチで同一方向へ回転させられる外周にそれぞれ溝部を設けた複数のロック解除円盤と、一方向へ摺動附勢され前記各ロック解除円盤に設けた各溝部に嵌入可能な歯部を有し、表側サムターンの回転に伴って上下動するロック解除プレートと、前記表側サムターンの回転が許容された後に該表側サムターンの回転に伴って動作し前記ロック解除円盤を元位置に戻すオートリセット手段と、リセットボタンを手動で押すことにより前記ロック解除円盤を元位置に戻す手動リセット手段と、を備えたことを特徴とする、押ボタン錠。
【請求項２】
前記送り機構は、前記押ボタンに取り付けられて一方向へ摺動可能な送り棒と、この送り棒によって旋回させられて前記ロック解除円盤を間欠的に回転させるカム送り部材とで構成したことを特徴とする、請求項１に記載の押ボタン錠。
【請求項３】
前記オートリセット手段は、前記表側サムターンと共に回転する第１軸部に取り付けられた第２カム部材を介して動作させられ、前記カム送り部材を動作させるリセット部材を有することを特徴とする、請求項１に記載の押ボタン錠。
【請求項４】
前記手動リセット手段は、前記リセットボタンを介して摺動させられ、前記カム送り部材を動作させるリセット棒を有することを特徴とする、請求項１に記載の押ボタン錠。
【請求項５】
被施錠体と、この被施錠体の外側に取り付けられる表側ケース体と、前記被施錠体の内側に取り付けられる裏側ケース体と、前記表側ケース体より前記被施錠体を貫通して前記裏側ケース体へ回転可能に伸長させた第１軸部と、前記表側ケース体より突出して設けられ前記第１軸部に対し所定の回転トルクの範囲内においてのみ該第１軸部を回転させる表側サムターンと、前記第１軸部の自由端側に設けた第１係合部と磁力吸着しつつ係合する第２係合部を有し前記裏側ケース体に回転可能に取り付けられた第２軸部と、この第２軸部に取り付けられた裏側サムターンと、前記第２軸部に取り付けられたロック作動杆を介して摺動させられるデットボルトと、一方向に回動附勢され前記表側ケース体内に回転可能に取り付けた複数のロック解除円盤と、前記表側ケース体に取り付けられた押ボタンと連動して前記ロック解除円盤を回転させる送り機構と、一方向に摺動附勢され前記各ロック解除円盤に設けたロック解除溝に嵌入可能な歯部を有し前記第１軸部の回転に伴って前記ロック解除溝の位置と前記歯部の位置が一致した時に摺動可能となるロック解除プレートと、前記表側サムターンの回転に伴って前記送り機構のカム部材と前記ラチェットギアの係合を解離させるリセット部材と、このリセット部材を手動で動作させるリセットボタンを有することを特徴とする、押ボタン錠。
【発明の詳細な説明】
【技術分野】
【０００１】
この発明は、とくにドアの補助錠として用いて好適な押ボタン錠に関する。
【背景技術】
【０００２】
近年、留守宅を狙った盗難被害が増大しており、この場合、メイン錠の他に、補助錠を付けることは有効な防犯対策として推奨されている。
【０００３】
従来、この補助錠を含むドアの錠としてはキーを用いて開錠を行うキー付きのものと、数字入りの複数のダイヤルを用い、該ダイヤルを回転させることによって数字合わせを行い、予め定められた数字を組み合わせることによって開錠を行うダイヤル式のものとの２種類のものが下記する特許文献１〜２によって公知である。
【０００４】
【特許文献１】特開２００４−１１６１１０号公開特許公報
【特許文献２】実公平８−３６２３号実用新案公報
【発明の開示】
【発明が解決しようとする課題】
【０００５】
上述した特許文献１に示されるキー付きの錠は、現在でもドアの錠として主流であるが、キーを紛失したり、キーを忘れたりした場合には開錠することができないという問題があった。また、このキー付きの錠を補助錠とする場合には、キーが増えることにより煩雑になるという問題もあった。
【０００６】
次に、上述した特許文献２に示されるダイヤル式の錠は、キーを必要としない点で有利であるが、暗いところでは操作しにくい上に、往々にしてダイヤルの数字合わせをして開錠した後に、そのままで放置してしまい易く、秘密にしておくべき、数字の組み合わせを往々にして他人に知られてしまうという問題があった。
【０００７】
この発明の目的は、上述した従来公知の錠の持つ各問題点をクリヤーした錠を提供せんとするにある。
【課題を解決するための手段】
【０００８】
上述した目的を達成するためにこの発明は、複数の押ボタンを予め定めた回数押すことにより開錠が可能となる押ボタン錠であって、一方向へ回転附勢され対応する複数の押ボタンを押すことにより、送り機構を介して同一ピッチで同一方向へ回転させられる外周にそれぞれ溝部を設けた複数のロック解除円盤と、一方向へ摺動附勢され前記各ロック解除円盤に設けた各溝部に嵌入可能な歯部を有し、表側サムターンの回転に伴って上下動するロック解除プレートと、前記表側サムターンの回転が許容された後に該表側サムターンの回転に伴って動作し前記ロック解除円盤を元位置に戻すオートリセット手段と、リセットボタンを手動で押すことにより前記ロック解除円盤を元位置に戻す手動リセット手段とを備えたことを特徴とする。
【０００９】
その際にこの発明は、前記送り機構を、前記押ボタンに取り付けられて一方向へ摺動可能な送り棒と、この送り棒によって旋回させられて前記ロック解除円盤を間欠的に回転させるカム送り部材とで構成したことを特徴とする。
【００１０】
さらにこの発明は、前記オートリセット手段を、前記表側サムターンと共に回転する第１軸部に取り付けられた第２カム部材を介して動作させられ、前記カム送り部材を動作させるリセット部材で構成する。
【００１１】
さらにこの発明は、前記手動リセット手段を、前記リセットボタンを介して摺動させられ、前記カム送り部材を動作させるリセット棒で構成する。
【００１２】
そしてこの発明は、被施錠体と、この被施錠体の外側に取り付けられる表側ケース体と、前記被施錠体の内側に取り付けられる裏側ケース体と、前記表側ケース体より前記被施錠体を貫通して前記裏側ケース体へ回転可能に伸長させた第１軸部と、前記表側ケース体より突出して設けられ前記第１軸部に対し所定の回転トルクの範囲内においてのみ該第１軸部を回転させる表側サムターンと、前記第１軸部の自由端側に設けた第１係合部と磁力吸着しつつ係合する第２係合部を有し前記裏側ケース体に回転可能に取り付けられた第２軸部と、この第２軸部に取り付けられた裏側サムターンと、前記第２軸部に取り付けられたロック作動杆を介して摺動させられるデットボルトと、一方向に回動附勢され前記表側ケース体内に回転可能に取り付けた複数のロック解除円盤と、前記表側ケース体に取り付けられた押ボタンと連動して前記ロック解除円盤を回転させる送り機構と、一方向に摺動附勢され前記各ロック解除円盤に設けたロック解除溝に嵌入可能な歯部を有し前記第１軸部の回転に伴って前記ロック解除溝の位置と前記歯部の位置が一致した時に摺動可能となるロック解除プレートと、前記表側サムターンの回転に伴って前記送り機構のカム部材と前記ラチェットギアの係合を解離させるリセット部材と、このリセット部材を手動で動作させるリセットボタンを有することを特徴とする。
【発明の効果】
【００１３】
この発明によれば、押ボタンを予め定めた回数押すだけで、ロック解除円盤の溝部が同一方向に揃い、該表側サムターンの回転を阻止しているロック解除プレートの移動が可能となるので、表側サムターンの回転が可能となって開錠でき、外出時には表側サムターンを施錠側へ回すことにより施錠を行うことができるので、キーを用いることなく開錠と施錠を行うことができるものである。
【発明を実施するための最良の形態】
【００１４】
以下にこの発明に係る押しボタン錠の一実施例を、補助錠とした場合について図面に基づいて詳細に説明するが、これをメイン錠として用いることは任意である。
【実施例１】
【００１５】
図１と図３において、被施錠体としてのドア１を挟んで表側（外側）に表側ケース体２が、裏側（内側）に裏側ケース体３が取り付けられており、ドア１に設けた挿通孔１ａと表側ケース体２の表板２ａに設けた挿通孔２ｃ、及び裏板２ｂに設けた挿通孔２ｄを貫通して表側ケース体２側より第１軸部４が裏側ケース体３側へ伸び、さらにこの裏側ケース体３の裏板３ｃに設けた挿通孔３ｄを貫通して該裏側ケース体３内へ伸びている。
【００１６】
第１軸部４が表側ケース体２の表板２ａに設けた挿通孔２ｃより表側へ突出した部分には、表側サムターン５が取り付けられているが、この表側サムターン５と第１軸部４との間には、所定の力以上で回転トルクを加えると空回りする、空転機構６が設けられている。その空転機構６は、表側サムターン５に設けた取付孔５ａ内にボール７とコンプレッションスプリング８を収容させてボール７を一方向へ摺動附勢させ、第１軸部４にボール７の一部を嵌入させる嵌入凹部４ａを設けたものである。尚、指示記号９のものは詰めビスである。また、表側サムターン５は、鍔部５ｂを表側ケース体２の表板２ａの内側に係合させて、表側へ抜け出て来ないように抜け止め規制されると共に、第１軸部４にも止め輪１０を取り付けて表側ケース体２の内側へ係合させることにより表側へ抜け出てこないように抜け止め規制がしてある。尚、この抜け止め規制の構成に限定はない。
【００１７】
表側ケース体２内部には、とくに図１乃至図４に示したように、各支持部材１３ａ，１３ａの間に各支軸１３を介して４個のラチェットギア１１が回転可能に取り付けられている。このラチェットギア１１と組み合わせて同じく４個のロック解除円盤１２が、各支軸１３に固定されて該支軸１３と共に回転可能に取り付けられており、このロック解除円盤１２の外周半径方向には、ロック解除溝１２ａが設けられている。尚、ラチェットギア１１とロック解除円盤１２との組み合わせの数は、図示のものに限定されない。各ラチェットギア１１は、支軸１３との間に弾設したゼンマイばね１４によって常に一方向（図示のものでは反時計方向）へ回転を附勢されている。尚、このゼンマイばね１４はロック解除円盤１２の方に設けても良い。
【００１８】
各ラチェットギア１１とロック解除円盤１２とは、係合手段１８によって互いに共に回転することが可能である。この係合手段１８は、とくに図２と図４及び図６に示したように、各ロック解除円盤１２の面部軸方向に設けられた係止孔１２ｂ内にコンプレッションスプリング１５によって一方向へ摺動附勢されて挿入され、その先端を各ラチェットギア１１の面部の軸方向に等間隔かつ放射状に設けた複数の係合孔１１ａの一つに先端を挿入させたロックピン１６によって構成されている。尚、指示記号１６ａは、コンプレッションスプリング１５を弾設するための鍔部である。そして、ロックピン１６の一端を図示してない治具を用いて係止孔１２ｂより抜くことにより、相互に独立して回転が可能となり、ロック解除溝１２ａの位置を変えることが可能である。
【００１９】
尚、この係合手段１８のロックピン１６の設置位置は、図示した実施例のものに限定されず、ロックピン１６をコンプレッションスプリング１５と共にラチェットギア１１側に設置しても良い。その場合には複数の係合孔はロック解除円盤の側に設けることになる。
【００２０】
各ラチェットギア１１は、とくに図２、図３及び図５に示したように、カム送り部材１９と、送り棒２０と、この送り棒２０へ取り付けた押ボタン２１からなる送り機構Ａによって１歯毎に回転が可能である。各カム送り部材１９は各ラチェットギア１１に隣接しており、一端部を各ラチェットギア１１の歯部１１ｂ側へ曲げることによって、該歯部１１ｂと係合する爪部１９ａを有し、各支軸１３に対し揺動可能に枢支されている。このカム送り部材１９は側面略Ｃ字形状を呈した弾性を有するもので、爪部１９ａを設けた側と支軸１３による枢支位置を挟んで反対側に設けた当接部１９ｂを、軸方向へ摺動可能に表側ケース体２内部に設けた送り棒２０に設けた係合部２０ａと当接させている。
【００２１】
送り棒２０は、とくに図２と図３に示したように、表側ケース体２の表板２ａと裏板２ｂの間に摺動可能に軸架されており、表側ケース体２より挿通孔２ｅを介して突出した部分に押ボタン２１が取り付けられている。この送り棒２０は、押ボタン２１に設けた鍔部２１ａによって、表側ケース体２より抜け止め規制されているが、送り棒２０自体に止め輪を設けることによって抜け止め規制させても良い。さらに、送り棒２０を弾性手段によって、一方向へ摺動附勢させることは任意である。
【００２２】
とくに図１乃至図４に示したように、各ロック解除円盤１２の上部に位置して、それぞれロック解除歯部２２ａを設けたロック解除プレート２２が、引張スプリング２２ｃ，２２ｃによって上下方向へ摺動附勢されて設けられており、各ロック解除歯部２２ａは各ロック解除円盤１２に設けたロック解除溝１２ａが対向する位置に来ることによって該ロック解除溝１２ａへ嵌入可能である。このロック解除プレート２２には、第１軸部４に近接して隆起部２２ｂが設けられ、この隆起部２２ｂは第１軸部４に取り付けた第１カム部材２３と対向位置にあり、その回動軌跡内に位置している。
【００２３】
とくに図１乃至図５に示したように、各ラチェットギア１１の奥側に位置して、オートリセット手段Ｂを構成するリセット部材２４が、引張コイルスプリング２４ｂを介して上下方向へ摺動附勢されて取り付けられている。このリセット部材２４には、カム送り部材１９の爪部１９ａの一つに当接する傾斜押圧部２６ａが設けられると共に、各爪部１９ａは連結杆２５を介して連結され、同一方向へ共に揺動可能である。リセット部材２４の上端部は傾斜受圧部２６ｂが設けられており、この傾斜受圧部２６ｂは第１軸部４の高さまで伸長している。この傾斜受圧部２６ｂは第１軸部４に第１カム部材２３とはその位置を変えて取り付けた第２カム部材２７と対向し、その回動軌跡内に位置している。尚、リセット部材２４の上下方向への摺動附勢は、爪部１９ａの弾力によってなされるように構成しても良い。
【００２４】
リセット部材２４にはさらに角状のガイド長孔２４ａが設けられ、このガイド長孔２４ａに先端の傾斜部２８ａを嵌入させて、手動リセット手段Ｃを構成するリセット棒２８が軸方向へ摺動可能に設けられている。このリセット棒２８が表側ケース体２の表板２ａに設けた軸受孔２ｆを貫通し、その先端部分にリセットボタン２９が取り付けられている。とくに図３に示したように、リセット棒２８はこれを表側ケース体２内で支える支承板３０との間に、コンプレッションスプリング３１を弾設することにより、一方向へ摺動附勢されている。リセットボタン２９はその鍔部２９ａを軸受孔２ｆに係合させることにより、抜け止め規制されているが、この抜け止め規制はリセット棒にフランジ部や止め輪を設けることによって行っても良い。
【００２５】
次に、とくに図２に示したように、ドア１の内側に取り付けた裏側ケース体３の表板３ａに設けた取付孔３ｂには、裏側サムターン３２が鍔部３２ｂを介して抜け止め規制されて回転可能に取り付けられており、この裏側サムターン３２に締付ねじ３２ａを介して第２軸部３３が同軸に取り付けられている。この第２軸部３３には、とくに図８に示したように、その先端に第１軸部４の第１係合部４ｂと係合する第２係合部３３ａが設けられると共に、ロック作動杆３４が共に回転可能となるように取り付けられている。とくに図８に示したように、第１係合部４ｂと第２係合部３３ａは、それぞれ対向位置に設けた４５度幅を有する各一対の凸部４ｃ，４ｃと凸部３３ｂ，３３ｂ及びそれぞれ対向位置に設けた１３５度幅を有する凹部４ｄ，４ｄと凹部３３ｃ，３３ｃとから成り、各凸部４ｃと凸部３３ｂとの間には９０度のクリアランスが生ずるように、その設置位置を定めて噛み合わせてある。さらに、第１軸部４の先端に設けた突部４ｅが第２軸部３３に設けた軸穴３３ｄに嵌入している。
【００２６】
裏側ケース体３内にはさらに、とくに図２と図７に示したように、デットボルト３５が摺動可能に設置されてその一端側が開口部３ｅから出没可能となるように構成されると共に、その係合凹部３５ａにロック作動杆３４の先端が嵌入している。
【００２７】
次に、動作について説明する。押ボタン錠がロック状態にある時、開錠しようとして表側サムターン５を図１に示したように「開」の方向へ回しても、ロック解除プレート２２の各ロック解除歯部２２ａが、ロック解除円盤１２の各ロック解除溝１２ａと対向位置にないので、第１軸部４と共に回転する第１カム部材２３が、ロック解除プレート２２の隆起部２２ｂに当接し、これを下押ししても、ロック解除プレート２２を押し下げることができず、該第１軸部４の回転が阻止されることから開錠することができない。この状態を摘まみ３２の側から見た状態が図９の（ａ）である。
【００２８】
ここで表側サムターン５を無理に回転させようとすると、空転機構６が動作してボール７が取付孔５ａ内に引っ込む結果、空回りすることになる。また、表側サムターン５を「閉」の矢印方向へ回しても、図７に示したように、デットボルト３５に設けたストッパー３５ｂが、裏側ケース体３の内側へ当接していることにより、閉方向へのさらなる摺動を阻止されているので、回転することはできない。
【００２９】
そこで、開錠に当っては各押ボタン２１を順次予め定めた回数だけ押す必要がある。しかし、各押しボタン２１がすでにいたずら等によって押されて、ロック解除円盤１２が元位置にないことを考慮し、念のためにリセットボタン２９を押して各ロック解除円盤１２の位置を確実に元位置に戻しておくことが必要である。こうした後、各押ボタン２１への押圧動作に伴い、送り機構Ａの送り棒２０が共に軸方向へ摺動してその各係合部２０ａで各カム送り部材１９を支軸１３を支点に回転させ、その爪部１９ａで各ラチェットギア１１の歯部１１ｂを個別に一歯ずつ回転させる。すると、各ロック解除円盤１２が対となっているラチェットギア１１と共に各押ボタン２１を押した回数分だけ回転するので、各押ボタン２１に対し予め定められた回数を押すことにより各ロック解除円盤１２の各ロック解除溝１２ａが、ロック解除プレート２２の各ロック解除歯部２２ａと対向する位置に来る。
【００３０】
そこで、表側サムターン５を開錠方向（時計方向）へ回すと、共に回転しようとする第１軸部４に取り付けた第１カム部材２３によって、隆起部２２ｂを介して下押しされるロック解除プレート２２の下降が可能となり、この第１軸部４の回転が可能となる。その結果、第１係合部４ｂと第２係合部３３ａが磁力吸着していることにより、図９の（ｂ）に示したように、共に回転することが可能となる第２軸部３３がロック作動杆３４を回転させることにより、デットボルト３５を摺動させて裏側ケース体３内へ引込ませてロック解除される。
【００３１】
表側サムターン５をさらに時計方向へ回転させると、第１カム部材２３がロック解除プレート２２の隆起部２２ｂを乗り越えることにより、該ロック解除プレート２２は引張コイルスプリング２２ｃ，２２ｃの弾力により元位置に戻って、各ロック解除歯部２２ａをロック解除円盤１２のロック解除溝１２ａより脱出させる。
【００３２】
次いで、第２カム部材２７が旋回継続してカム部２７ａで、オートリセット手段Ｂのリセット部材２４の傾斜受圧部２６ｂを下押しした後、さらに旋回してリセット部材２４に対する押し下げ動作を終えるので、この下押し時に該リセット部材２４の傾斜押圧部２６ａは、送り機構Ａのカム送り部材１９の一つの爪部１９ａを押して、図５に示したように、左側へ揺動させるので、すると、連結杆２５により他の各爪部１９ａが共に一斉に左方向へ揺動して各爪部１９ａが各ラチェットギア１１の各歯部１１ｂより外れることにより、ゼンマイばね１４の弾力によって各ラチェットギア１１とロック解除円盤１２が共に回転して元位置に戻ることになってリセットされる。ここで表側サムターン５の時計方向のさらなる回転は、図１に示したように、ストッパー部３６に当接することによって阻止される。
【００３３】
このようにして開錠動作がなされ、ドア１を開くことが可能となる。尚、このラチェットギア１１とロック解除円盤１２が元位置に戻る回転は、図２と図３に示したラチェットギア１１に設けたストッパー１１ｃが、支持部材１３ａの突出部１３ｂへ当接することによって常に定位置で停止される。
【００３４】
次に、ドア１を開いて内部に入り内側にて施錠する場合には、裏側サムターン３２をロック方向へ回すと、互いの第１係合部４ｂと第２係合部３３ａとは磁力吸着していることから、第１軸部４は共に回転しようとするが、この状態においては、第１軸部４はロック解除プレート２２の下降が阻止されているため回転できない。しかし、裏側サムターン３２をさらに力を込めて回転させることにより、第２軸部３３のみが、図９の（ｃ）に示したように、磁力吸着力に抗して分離回転し、ロック作動杆３４を介してデットボルト３５が裏側ケース体３の開口部３ｅより摺動突出して施錠されることになる。
【００３５】
この施錠状態をドア１の内側より解除する場合には、裏側サムターン３２をロック方向とは逆のロック解除方向へ回すと、第１軸部４は回転せず、裏側サムターン３２のみが第２軸部３３と共に回転することになるので、共に回転するロック作動杆３４を介してデットボルト３５が、裏側ケース体３の内側方向へ摺動してロック状態が解除され、第１係合部４ｂと第２係合部３３ａとの位置関係は、図９（ｂ）に示したようになる。しかる後、ドア１の内側からの施錠及び開錠は、裏側サムターン３２が上述したようにして第２軸部３３と共に反復回動することにより、第１軸部４は回転することなく何回でも行うことができる。
【００３６】
次に、外出時の施錠であるが、ドア１を閉めて表側サムターン５をロック方向（反時計方向）へ回そうとした場合、共に回転する第１軸部４の第１カム部材２３が、ロック解除プレート２２を下押しするが、ロック解除歯部２２ａはロック解除円盤１２のロック解除溝１２ａの位置にはないので、表側サムターン５を回転させることはできない。そこで、念のためリセットボタン２９を押してリセット棒２８を動作させて、各ラチェットギア１１を各ロック解除円盤１２と共に元位置に戻した後、各押ボタン２１を押して、各ロック解除円盤１２を開錠の時と同じように回転させて、各ロック解除溝１２ａをすべて上側に位置させる。すると、表側サムターン５は開錠方向（反時計方向）へ回転が可能となり、共に回転する第１軸部４を介して表側サムターン５の回転は可能となる。そこで、さらに第２軸部３３が回転してロック作動杆３４を介してデットボルト３５を裏側ケース体３より突出させてロックが可能となる。しかる後、手動リセット手段Ｃのリセットボタン２９を押すと、リセット棒２８の傾斜部２８a を介してリセット部材２４が降下して、カム送り部材１９の各爪部１９ａと各ラチェットギア１１の各歯部１１ｂとの間の係合を外すので、ゼンマイばね１４の弾力によりラチェットギア１１とロック解除円盤１２が回転して元位置に戻り、外側から見てもロック状態が完了することになる。尚、表側からこのサムターン５を回して施錠時に、リセットボタン２９を押すのは、いたずら等により各押ボタン２１が押されていることを考慮したものである。
【００３７】
次に、押ボタン２１の押圧回数の変更は、ロック解除円盤１２に取り付けた係合手段１５のロックピン１６を、専用治具を用いて軸方向へ移動させてその先端側が嵌入しているラチェットギア１１の係合孔１１ａより抜き、ラチェットギア１１を空転させることにより、ロックピン１６が嵌入する係合孔１１ａの位置が変わるので、望む位置の係合孔１１ａがロックピン１６の位置に来たところで、ロックピン１６を離すと、コンプレッションスプリング１５の弾力で該ロックピン１６の先端側が当該係合孔１１ａへ嵌入することによりなされる。
【００３８】
尚、ロックピン１６はこれをラチェットギア１１側に設け、このロックピン１６を挿入させる係合孔をロック解除円盤１２の側へ設けても良い。
【産業上の利用可能性】
【００３９】
この発明は以上のように構成したので、ドア等に設置するメインの錠としての使用も可能であるが、キーを必要とすることがなく、第三者から開錠番号を知られることがないので、主として補助錠の錠として用いることにより、より防犯上の安全性を高めることができるものである。
【図面の簡単な説明】
【００４０】
【図１】この発明に係る押ボタン錠の正面図である。
【図２】図１に示した押ボタン錠の内部構造を示す側断面図である。
【図３】図１に示した押ボタン錠の内部構造の表側ケース体の部分を断面方向を変えて見た側面図である。
【図４】図１に示した押ボタン錠の表側ケース体の内部構造を示す正面断面図である。
【図５】図１に示した押ボタン錠の内部構造を断面方向を変えて見た正面断面図である。
【図６】押ボタンの押圧回数の変更手段を説明する説明図である。
【図７】裏側ケース体の内部構造を説明する説明図である。
【図８】第１軸部と第２軸部の接続部分を説明する斜視図である。
【図９】第１軸部と第２軸部の係合離脱関係を説明する説明図である。
【符号の説明】
【００４１】
Ａ  送り機構
Ｂ  オートリセット手段
Ｃ  手動リセット手段
１  ドア（被施錠体）
１ａ  挿通孔
２  表側ケース体
２ａ  表板
２ｂ  裏板
２ｃ，２ｄ，２ｅ  挿通孔
２ｆ  軸受孔
３  裏側ケース体
３ａ  表板
３ｂ  取付孔
３ｃ  裏板
３ｄ  挿通孔
３ｅ  開口部
４  第１軸部
４ａ  嵌入凹部
４ｂ  第１係合部
４ｃ  凸部
４ｄ  凹部
４ｅ  突部
４ｆ  ストッパー部
５  表側サムターン
５ａ  取付孔
５ｂ  鍔部
６  空転機構
７  ボール
８  コンプレッションスプリング
９  詰めビス
１０  止め輪
１１  ラチェットギア
１１ａ  係合孔
１１ｂ  歯部
１１ｃ  ストッパー
１２  ロック解除円盤
１２ａ  ロック解除溝
１２ｂ  係止孔
１３  支軸
１３ａ  支持部材
１３ｂ  突出部
１４  ゼンマイばね
１５  コンプレッションスプリング
１６  ロックピン
１６ａ  鍔部
１７  ロック解除ピン
１８  係合手段
１９  カム送り部材
１９ａ  爪部
１９ｂ  当接部
１９ｃ  フランジ部
２０  送り棒
２０ａ  係合部
２１  押ボタン
２１ａ  鍔部
２２  ロック解除プレート
２２ａ  ロック解除歯部
２２ｂ  隆起部
２２ｃ  引張スプリング
２３  第１カム部材
２３ａ  トーションスプリング
２３ｂ  支軸
２３ｃ  引張コイルスプリング
２４  リセット部材
２４ａ  ガイド長孔
２４ｂ  引張コイルスプリング
２５  連結杆
２６ａ  傾斜押圧部
２６ｂ  傾斜受圧部
２７  第２カム部材
２７ａ  カム部
２８  リセット棒
２８ａ  傾斜部
２９  リセットボタン
２９ａ  鍔部
３０  支承板
３１  コンプレッションスプリング
３２  裏側サムターン
３２ａ  締付ねじ
３２ｂ  鍔部
３３  第２軸部
３３ａ  第２係合部
３３ｂ  凸部
３３ｃ  凹部
３３ｄ  軸穴
３４  ロック作動杆
３５  デットボルト
３５ａ  係合凹部
３５ｂ  ストッパー
３６  ストッパー部
【図１】
2005320783.tif 000003
【図２】
2005320783.tif 000004
【図３】
2005320783.tif 000005
【図４】
2005320783.tif 000006
【図５】
2005320783.tif 000007
【図６】
2005320783.tif 000008
【図７】
2005320783.tif 000009
【図８】
2005320783.tif 000010
【図９】
2005320783.tif 000011